(57)【特許請求の範囲】
【請求項１】
切り欠き又は孔である被係合部が形成されている平型電線が挿入可能なコネクタであって、
基部と、前記基部からそれぞれ前方に延伸し前側から平型電線が間に挿入可能な上ビームと下ビームとを有する抜止部材と、
基部と、前記基部からそれぞれ前方に延伸し前側から前記平型電線が間に挿入可能な上ビームと下ビームとを有する、前記平型電線と電気的に接続するための第１の端子と、
前記抜止部材の前記上ビームと前記第１の端子の前記上ビームがそれぞれ、前記基部を支点として前記下ビーム側に傾くように前記抜止部材と前記第１の端子とを弾性変形させるアクチュエータと、を備え、
前記抜止部材の前記上ビームと前記第１の端子の前記上ビームのそれぞれは、前記上ビームが傾いたときに、前記上ビームと前記下ビームとの間に挿入された前記平型電線を前記下ビームに押さえ付ける押圧部を有し、
前記抜止部材の前記下ビームには、前記上ビームと前記下ビームとの間に挿入された前記平型電線の前記被係合部に嵌まる、上方に突出している係合部が形成され、
前記第１の端子の前記押圧部は前記抜止部材の係合部よりも前方に位置している、
ことを特徴とするコネクタ。
【請求項２】
請求項１に記載のコネクタにおいて、
前記抜止部材の前記下ビームには、前記コネクタが配置される回路基板に固定される固定部が形成されている、
ことを特徴とするコネクタ。
【請求項３】
請求項１に記載のコネクタにおいて、
基部と、前記基部からそれぞれ前方に延伸し前側から前記平型電線が間に挿入可能な上ビームと下ビームとを有する、前記平型電線と電気的に接続するための第２の端子を備え、
前記第２の端子の前記上ビームは、前記上ビームが前記下ビーム側に傾いたときに、前記上ビームと前記下ビームとの間に挿入された前記平型電線を前記下ビームに押さえ付ける押圧部を有し、
前記第２の端子の前記押圧部は前記抜止部材の係合部よりも後方に位置している、
ことを特徴とするコネクタ。
【請求項４】
請求項１に記載のコネクタにおいて、
前記抜止部材の前記押圧部は、前記係合部より前記基部寄りに位置している、
ことを特徴とするコネクタ。
【請求項５】
請求項１に記載のコネクタにおいて、
前記抜止部材は、前記基部から前記上ビームとは反対方向に延伸する被押圧ビームを有し、
前記アクチュエータは、回転することによって下方から前記被押圧ビームを押し上げるカム部を有する、
ことを特徴とするコネクタ。
【発明の詳細な説明】
【技術分野】
【０００１】
本発明は、ＦＰＣ（Flexible Printed Circuit）やＦＦＣ（Flexible Flat Cable）などの平型電線が挿入可能なコネクタに関し、特に、平型電線がコネクタから抜けるのを抑える技術に関する。
【背景技術】
【０００２】
従来、ＦＰＣやＦＦＣなどの平型電線が挿入可能なコネクタが利用されている。このようなコネクタには、挿入された平型電線がコネクタから抜けるのを防止するための抜止部材を有するものがある（例えば、特許文献１）。特許文献１のコネクタでは、抜止部材は、基部から前方に延伸し平型電線の上方に位置するビームを有している。この抜止部材は、ビームが基部を支点として下方に傾くように弾性変形可能に形成されている。ビームは、コネクタに設けられたアクチュエータが操作されることによって下方に傾き、ビームの先端に形成された凸部が平型電線に形成された孔に嵌る。これによって、平型電線の抜けが抑えられている。
【先行技術文献】
【特許文献】
【０００３】
【特許文献１】特開２００５ー７８９０８号公報
【発明の概要】
【発明が解決しようとする課題】
【０００４】
しかしながら、平型電線が強く引っ張られた時には、その力はビームに作用する。抜止部材は、ビームが基部を支点として動くように弾性変形可能に形成されており、ビームに強い力が作用した場合には、ビームが上方に動いてしまい、ビームによる平型電線との引っ掛かりが解消される可能性があった。
【０００５】
本発明は、上記課題に鑑みてなされたものであって、その目的は、平型電線に対する抜け止め機能を向上できるコネクタを提供することにある。
【課題を解決するための手段】
【０００６】
上記課題を解決するために、本発明に係るコネクタは、平型電線が挿入可能なコネクタであって、基部と、前記基部からそれぞれ延伸し平型電線が間に挿入可能な上ビームと下ビームとを有する抜止部材と、前記上ビームが前記基部を支点として前記下ビーム側に傾くように前記抜止部材を弾性変形させるアクチュエータとを備える。前記上ビームは、当該上ビームが傾いたときに、前記上ビームと前記下ビームとの間に挿入された前記平型電線を前記下ビームに押さえ付ける押圧部を有している。また、前記下ビームには、前記上ビームと前記下ビームとの間に挿入された前記平型電線の被係合部に引っ掛かる係合部が形成されている。
【０００７】
本発明では、平型電線には下ビームが引っ掛かっている。そのため、平型電線が引っ張られた場合、その力の多くは下ビームに作用し、基部を支点として動くことのできる上ビームに作用する力は抑えられる。その結果、平型電線に強い力が作用した場合でも、平型電線との引っ掛かりが維持され易くなり、コネクタの抜け止め機能を向上できる。
【０００８】
また、本発明の一態様では、前記下ビームには、前記コネクタが配置される回路基板に固定される固定部が形成されてもよい。この態様によれば、平型電線に引っ掛かっている下ビームの動きが規制されるので、コネクタの抜け止め機能をさらに向上できる。
【０００９】
また、本発明の他の態様では、前記係合部は、前記下ビームから上方に突出する凸部であり、前記上ビームと前記下ビームとの間に挿入された前記平型電線の被係合部に嵌るように形成されてもよい。この態様によれば、簡単な形状で平型電線を抜け止めできる。
【００１０】
また、この態様では、前記押圧部は、前記係合部より前記基部寄りに位置してもよい。こうすることによって、押圧部は、平型電線の、被係合部より先端側の位置を押圧することとなる。その結果、さらにコネクタの抜け止め機能を向上できる。
【００１１】
また、本発明の他の態様では、前記抜止部材は、前記基部から前記上ビームとは反対方向に延伸する被押圧ビームを有し、前記アクチュエータは、回転することによって下方から前記被押圧ビームを押し上げるカム部を有してもよい。この態様によれば、端子の後部をアクチュエータによって押し上げるタイプのコネクタにおいて、その抜け止め機能を向上できる。
【図面の簡単な説明】
【００１２】
【図１】本発明の一実施形態に係るコネクタの斜視図である。
【図２】上記コネクタの正面図である。
【図３】図２に示すＩＩＩ−ＩＩＩ線での断面図であり、同図では上記コネクタが有する抜止部材が示されている。
【図４】図３と同じ位置での断面を示し、同図ではアクチュエータが後側に倒れることによって弾性変形した抜止部材が示されている。
【図５】上記アクチュエータの斜視図である。
【図６】図２に示すＶＩ−ＶＩ線での断面図であり、同図では上記コネクタが有する前接続端子が示されている。
【図７】図２に示すＶＩＩ−ＶＩＩ線での断面図であり、同図では上記コネクタが有する後接続端子が示されている。
【発明を実施するための形態】
【００１３】
以下、本発明の一実施形態について図面を参照しながら説明する。図１は、本発明の実施形態の例であるコネクタ１の斜視図であり、図２はコネクタ１の正面図である。図３は、図２に示すＩＩＩ−ＩＩＩ線での断面図であり、同図ではコネクタ１が有する抜止部材３０が示されている。図４は、図３と同じ位置での断面を示し、同図ではアクチュエータ２０が後側に倒れることによって弾性変形した抜止部材３０が示されている。図５は、アクチュエータ２０の斜視図である。図６は、図２に示すＶＩ−ＶＩ線での断面図であり、同図ではコネクタ１が有する前接続端子４０が示されている。図７は図２に示すＶＩＩ−ＶＩＩ線での断面図であり、同図ではコネクタ１が有する後接続端子５０が示されている。
【００１４】
コネクタ１は、ＦＰＣやＦＦＣなどの平型電線が挿入可能に構成され、挿入された平型電線を回路基板に電気的に接続するためのコネクタである。この例では、平型電線の例としてＦＰＣ１００が示されている。図１又は図２に示すように、コネクタ１は、ＦＰＣ１００の導体部（不図示）と接触する複数の前接続端子４０と複数の後接続端子５０とを有している。前接続端子４０と後接続端子５０は、ＦＰＣ１００の幅方向（左右方向（Ｘ１−Ｘ２の示す方向））に、交互に並んでいる。
【００１５】
また、コネクタ１は、ＦＰＣ１００がコネクタ１から抜けるのを抑える、すなわち、ＦＰＣ１００が挿入方向と反対方向（Ｙ１の示す方向（前方））に移動するのを抑える抜止部材３０を有している。抜止部材３０は、前接続端子４０と後接続端子５０とともに、ＦＰＣ１００の幅方向に並んでいる。コネクタ１は２つの抜止部材３０を有し、これらは前接続端子４０と後接続端子５０とに対して左右方向の外側に位置している。特に、この例では、抜止部材３０と、当該抜止部材３０に対して最も近い位置にある前接続端子４０との距離は、互いに隣接する前接続端子４０と後接続端子５０との距離より大きくなっている。抜止部材３０と、前接続端子４０と、後接続端子５０は、金属によって一体的に形成されている。例えば、抜止部材３０と、前接続端子４０と、後接続端子５０は板金の打ち抜き加工によって形成される。
【００１６】
コネクタ１は樹脂などの絶縁体によって形成されたハウジング１１を有している。ハウジング１１は前方に向かって開口しており、ＦＰＣ１００は前方からハウジング１１に挿入される。図３、図６又は図７に示すように、ハウジング１１の内側には、前後方向（Ｙ１−Ｙ２方向）に伸びる複数の溝１３，１４，１５が形成されている。抜止部材３０と、前接続端子４０と、後接続端子５０は、それぞれ溝１３，１４，１５に嵌められ、ハウジング１１によって保持されている。
【００１７】
図３に示すように、抜止部材３０は、基部３１から前方に伸び、間にＦＰＣ１００が挿入可能な前上ビーム３２と前下ビーム３３とを有している。ＦＰＣ１００が挿入された状態では、前上ビーム３２はＦＰＣ１００の上に位置し、前下ビーム３３はＦＰＣ１００の下に位置する（図４参照）。また、抜止部材３０は、基部３１から前上ビーム３２とは反対方向（後方）に伸びる被押圧ビーム３４を有している。前上ビーム３２と被押圧ビーム３４は、前後方向に伸びるとともに途中の位置が基部３１によって支持された棒状を呈している。また、抜止部材３０は、基部３１から前下ビーム３３とは反対方向に伸びる後下ビーム３５を有している。前下ビーム３３と後下ビーム３５も、前後方向に伸びる棒状を呈している。
【００１８】
図３又は図４に示すように、抜止部材３０は、前上ビーム３２が前下ビーム３３側に傾くように弾性変形可能に構成されている。すなわち、抜止部材３０は、前上ビーム３２が基部３１を支点として下方に動くように弾性変形可能となっている。コネクタ１には、抜止部材３０を弾性変形させるアクチュエータ２０が設けられている。この例では、コネクタ１は所謂バックロックタイプのコネクタであり、アクチュエータ２０は、コネクタ１の後部に配置され、後方に倒れるように回転することによって抜止部材３０を弾性変形させる。
【００１９】
アクチュエータ２０は、樹脂によって成形された、左右方向に長い略直方体状の部材である。アクチュエータ２０には、被押圧ビーム３４の後部が嵌る孔２４ａが形成されている。また、アクチュエータ２０は、被押圧ビーム３４と後下ビーム３５との間に配置されるカム部２１と、操作部２２とを有している。操作部２２は、アクチュエータ２０が後方に倒れる前の状態では被押圧ビーム３４の上方に位置している。操作部２２が、作業者によって、後方且つ斜め下方（図３に示すＤ１の示す方向）に押されることによって、アクチュエータ２０は後に倒れるように回転する。カム部２１はアクチュエータ２０の回転に伴って、被押圧ビーム３４と後下ビーム３５との間で回転する。カム部２１は、その断面が被押圧ビーム３４と後下ビーム３５との距離より長くなるように形成されている。そのため、カム部２１は、被押圧ビーム３４と後下ビーム３５との間で回転すると、被押圧ビーム３４を押し上げる（図４参照）。被押圧ビーム３４と前上ビーム３２は、それらの間に位置する基部３１によって支持されている。そのため、被押圧ビーム３４が押し上げられると、前上ビーム３２は基部３１を支点として下方に傾く。
【００２０】
なお、図５に示すように、アクチュエータ２０の側面には、左右方向に突出する凸部２３が形成されている。一方、ハウジング１１は、後方に伸びるとともに、アクチュエータ２０の側面と向き合う横壁部１６を有している（図１参照）。凸部２３は、ハウジング１１の横壁部１６によって回転可能に支持され、アクチュエータ２０は凸部２３を支点として後方に倒れる。
【００２１】
ＦＰＣ１００の左右の縁には、切り欠き（被係合部）１００ａが形成されている（図１参照）。図３又は図４に示すように、前下ビーム３３には、挿入されたＦＰＣ１００の切り欠き１００ａに引っ掛かる係合部３３ａが形成されている。係合部３３ａは上方に突出する凸部であり、ＦＰＣ１００の挿入状態では切り欠き１００ａに嵌る。
【００２２】
前下ビーム３３は、その上面に概ね水平な支持面３３ｂを有している。係合部３３ａは前下ビーム３３の途中の位置に形成され、支持面３３ｂは係合部３３ａより基部３１寄り、すなわちコネクタ１の奥側に位置している。そのため、ＦＰＣ１００の切り欠き１００ａより先端側は、この支持面３３ｂ上に配置される。なお、この例では支持面３３ｂは水平に形成されていたが、支持面３３ｂは傾斜していてもよい。例えば、係合部３３ａ寄りの位置が、コネクタ１の奥側の位置より低くなるように、支持面３３ｂは傾斜してもよい。こうすることによって、ＦＰＣ１００がさらに抜け難くなる。
【００２３】
また、係合部３３ａは、予め規定された正規の位置までＦＰＣ１００が挿入された時に、切り欠き１００ａに嵌るように形成されている。すなわち、ＦＰＣ１００の導体部（不図示）が、後述する前接続端子４０の接触部４３ａと後接続端子５０の接触部５３ａとに対する適切な位置に到来したときに、係合部３３ａは切り欠き１００ａに嵌る。
【００２４】
図３に示すように、係合部３３ａは、その断面が略三角形状になるように形成されており、係合部３３ａの上面は、後方且つ斜め上方に直線的に伸びる前傾斜面３３ｃを有している。ＦＰＣ１００の挿入時には、ＦＰＣ１００の先端は前傾斜面３３ｃに案内されることによって係合部３３ａを乗り越える。
【００２５】
また、係合部３３ａは、係合部３３ａの頂部３３ｅから係合部３３ａの後側に垂下する後面３３ｄを有している。後面３３ｄは後方を向いており、切り欠き１００ａの縁はこの後面３３ｄに当る。これによって、ＦＰＣ１００の前方への移動が規制される。なお、後面３３ｄの中途部は、鉛直方向に伸びており、すなわち真っ直ぐ後方を向いている。そのため、ＦＰＣ１００に、当該ＦＰＣ１００を引き抜こうとする力が作用した場合に、切り欠き１００ａの縁が係合部３３ａを乗り越えにくくなっている。また、この後面３３ｄの中途部の高さは、支持面３３ｂと概ね等しくなっている。さらに、支持面３３ｂと後面３３ｄとの間には、凹部が形成されている。なお、係合部３３ａは鉤状に形成されてもよい。例えば、後面３３ｄの上部はＦＰＣ１００の挿入方向に傾斜していてもよい。これによって、ＦＰＣ１００の切り欠き１００ａの縁が、さらに係合部３３ａを乗り越えにくくなる。
【００２６】
図３に示すように、抜止部材３０は、前下ビーム３３の先端に固定部３６を有している。固定部３６は、ハウジング１１から露出する位置に設けられ、コネクタ１が載置される回路基板に半田によって取り付けられる。詳細には、固定部３６は、ハウジング１１の底板部１２の前縁より前に位置し、固定部３６の下縁３６ａの位置は、底板部１２の下面より低くなっている。そして、固定部３６の下縁３６ａが回路基板に取り付けられる。これによって、ＦＰＣ１００に外力が作用した場合であっても、前下ビーム３３が動くことが抑制されている。
【００２７】
また、後下ビーム３５はハウジング１１に固定されている。詳細には、ハウジング１１の内部には、被押圧ビーム３４と、基部３１と、後下ビーム３５とによって囲まれるストッパ１１ｂが設けられている。後下ビーム３５の上面には爪部３５ａが形成されており、爪部３５ａはストッパ１１ｂに引っ掛かっている。なお、抜止部材３０は、前方からハウジング１１の溝１３に圧入され、爪部３５ａはストッパ１１ｂに引っ掛かる。これによって、抜止部材３０のハウジング１１に対する移動が規制される。
【００２８】
また、前下ビーム３３と後下ビーム３５は、ハウジング１１の底板部１２上に配置されている。すなわち、前下ビーム３３と後下ビーム３５は、それらの下面が底板部１２に接するように配置されている。これによって、ＦＰＣ１００に外力が作用した場合であっても、前下ビーム３３が動くことが抑制されている。
【００２９】
前上ビーム３２は前方に行くにしたがって徐々に細くなるように形成され、その途中の位置に押圧部３２ａを有している。図４に示すように、この押圧部３２ａは、抜止部材３０の弾性変形によって前上ビーム３２が前下ビーム３３側に傾いたときに、ＦＰＣ１００を前下ビーム３３に押さえ付ける。この例では、押圧部３２ａは、前上ビーム３２の途中の位置から下方に突出する凸部である。前上ビーム３２が前下ビーム３３側に傾いたときに、押圧部３２ａの頂部３２ｃがＦＰＣ１００を前下ビーム３３に押さえ付ける。
【００３０】
図３に示すように、押圧部３２ａの位置は、係合部３３ａの位置に対して後方にずれている。すなわち、押圧部３２ａは、係合部３３ａより基部３１寄りに位置し、基部３１から押圧部３２ａまでの距離は、基部３１から係合部３３ａまでの距離より小さくなっている。また、この例では、押圧部３２ａは前下ビーム３３の支持面３３ｂの上方に位置し、ＦＰＣ１００が挿入されたときには、押圧部３２ａは切り欠き１００ａより先端側を支持面３３ｂに押さえ付ける。なお、押圧部３２ａも、係合部３３ａと同様に、その断面が略三角形状を呈するように形成されており、押圧部３２ａの下面は、後方且つ斜め下方に伸びる前傾斜面３２ｂを有している。
【００３１】
図３に示すように、押圧部３２ａの頂部３２ｃの位置は、係合部３３ａの頂部３３ｅの位置より高くなっている。特にこの例では、頂部３２ｃの高さと頂部３３ｅの高さとの差は、ＦＰＣ１００の厚さと概ね等しくなっている。これによって、小さな力でＦＰＣ１００を抜止部材３０に挿入できる。なお、頂部３２ｃの高さと頂部３３ｅの高さの差は、ＦＰＣ１００の厚さより大きくてもよい。これによって、さらに小さな力でＦＰＣ１００を抜止部材３０に挿入できる。また、頂部３２ｃの高さと頂部３３ｅの高さとの差は、ＦＰＣ１００の厚さより小さくてもよい。これによって、ＦＰＣ１００の挿入時に、ＦＰＣ１００がコネクタ１に一時的に保持され得る。
【００３２】
上述したように、コネクタ１は前接続端子４０と後接続端子５０とを備えている。図６に示すように、前接続端子４０は、基部４１から前方に延伸し、間にＦＰＣ１００が挿入可能な前上ビーム４２と前下ビーム４３とを有している。抜止部材３０の前上ビーム３２及び前下ビーム３３と同様に、ＦＰＣ１００が挿入された状態では、前上ビーム４２はＦＰＣ１００の上方に位置し、前下ビーム４３はＦＰＣ１００の下方に位置する。また、前接続端子４０は、基部４１から前上ビーム４２とは反対方向（後方）に伸びる被押圧ビーム４４を有している。前上ビーム４２と被押圧ビーム４４は、前後方向に伸びるとともに途中の位置が基部４１によって支持された棒状を呈している。また、前接続端子４０は、基部４１から前下ビーム４３と反対方向に伸びる後下ビーム４５を有している。
【００３３】
さらに、前接続端子４０は、前下ビーム４３の先端に接続部４６を有している。接続部４６は、ハウジング１１の底板部１２の前縁より前に位置し、接続部４６の下縁４６ａの位置は、底板部１２の下面より低くなっている。そして、接続部４６の下縁４６ａが、コネクタ１が載置される回路基板の導体部に半田によって取り付けられる。
【００３４】
ハウジング１１の内部には、被押圧ビーム４４と、基部４１と、後下ビーム４５とによって囲まれるストッパ１１ｃが設けられている。後下ビーム４５の上面には爪部４５ａが形成されている。爪部４５ａはストッパ１１ｃに引っ掛かっている。なお、前接続端子４０は、抜止部材３０と同様に、ハウジング１１の溝１４に前方から圧入され、爪部４５ａはストッパ１１ｃに引っ掛かる。このようにして、前接続端子４０は、ハウジング１１に固定されている。
【００３５】
アクチュエータ２０には孔２４ｂが形成されており、被押圧ビーム４４の後部はこの孔２４ａに嵌っている。また、上述したカム部２１は左右方向に延伸しており（図５参照）、図６に示すように、カム部２１は被押圧ビーム４４と後下ビーム４５との間にも設けられている。
【００３６】
前接続端子４０も、抜止部材３０と同様に、アクチュエータ２０の回転に伴って前上ビーム４２が前下ビーム４３側に傾くように弾性変形可能となっている。詳細には、アクチュエータ２０が後に倒れるように回転すると、カム部２１は被押圧ビーム４４と後下ビーム４５との間で回転し、被押圧ビーム４４を押し上げる。その結果、前上ビーム３２は基部４１を支点として下方に傾く。
【００３７】
前上ビーム４２の途中の位置には、下方に突出する押圧部４２ａが形成されている。また、前下ビーム４３の途中の位置には、上方に突出する接触部４３ａが形成されている。押圧部４２ａと接触部４３ａは上下方向で互いに向き合っている。前上ビーム３２が基部４１を支点として下方に傾いたときには、押圧部４２ａは、ＦＰＣ１００を接触部４３ａに押し付ける。ＦＰＣ１００の下面には導体部（不図示）が形成されている。そのため、押圧部４２ａがＦＰＣ１００を押さえ付けることによって、ＦＰＣ１００の導体部と接触部４３ａとが安定的に接触する。なお、ＦＰＣ１００の導体部は、当該ＦＰＣ１００の上面に形成されていてもよい。この場合、図６に示す押圧部４２ａがＦＰＣ１００の導体部に接触する。
【００３８】
また、この例では、前後方向における押圧部４２ａと接触部４３ａの位置は、抜止部材３０の押圧部３２ａの位置に一致している。そのため、抜止部材３０の押圧部３２ａは、押圧部４２ａとともに、ＦＰＣ１００の導体部を接触部４３ａに押さえ付ける機能を果たしている。
【００３９】
図７に示すように、後接続端子５０も、前接続端子４０と同様に、基部５１から前方に延伸し、間にＦＰＣ１００が挿入可能な前上ビーム５２と前下ビーム５３とを有している。また、後接続端子５０は、基部５１から前上ビーム５２とは反対方向（後方）に伸びる被押圧ビーム５４を有している。前上ビーム５２と被押圧ビーム５４は、前後方向に伸びるとともに途中の位置が基部５１によって支持された棒状を呈している。また、後接続端子５０は、基部５１から前下ビーム５３と反対方向に伸びる後下ビーム５５を有している。
【００４０】
さらに、後接続端子５０は、後下ビーム５５の先端（後端）に接続部５６を有している。接続部５６は、ハウジング１１の底板部１２の後縁より後に位置し、接続部５６の下縁５６ａの位置は、底板部１２の下面より低くなっている。接続部５６の下縁５６ａは、コネクタ１が載置される回路基板上の導体部に半田によって取り付けられる。
【００４１】
また、基部５１の上方には、上方に突出する爪部５１ａが形成されている。爪部５１ａはハウジング１１の上板部１７に引っ掛かっており、後接続端子５０はハウジング１１に固定されている。なお、後接続端子５０は、抜止部材３０や前接続端子４０とは反対に、後方からハウジング１１に圧入される。
【００４２】
アクチュエータ２０には孔２４ｃが形成されており、被押圧ビーム５４の後部はこの孔２４ｃに嵌っている。また、上述したカム部２１は、被押圧ビーム５４と後下ビーム５５との間にも設けられている。そして、後接続端子５０も、抜止部材３０及び前接続端子４０と同様に、アクチュエータ２０の回転に伴って前上ビーム５２が前下ビーム５３側に傾くように弾性変形可能となっている。詳細には、アクチュエータ２０が後に倒れるように回転すると、カム部２１は被押圧ビーム５４と後下ビーム５５との間で回転し、被押圧ビーム５４を押し上げる。その結果、前上ビーム５２は基部５１を支点として下方に傾く。なお、後下ビーム５５にはストッパ５５ａが形成されている。このストッパ５５ａはカム部２１の後において上方に突出し、カム部２１の後方への移動を規制している。そのため、カム部２１は、ストッパ５５ａによって後方への移動が規制された状態で回転する。
【００４３】
前上ビーム５２の先端には下方に突出する押圧部５２ａが形成され、前下ビーム５３の先端には上方に突出する接触部５３ａが形成されている。押圧部５２ａと接触部５３ａは上下方向で互いに向き合っている。前上ビーム５２が基部５１を支点として下方に傾いたときには、押圧部５２ａは、ＦＰＣ１００を接触部５３ａに押し付ける。その結果、接触部５３ａは、ＦＰＣ１００の下面に形成された導体部（不図示）に安定的に接触する。なお、上述したように、ＦＰＣ１００の導体部は、当該ＦＰＣ１００の上面に形成されていてもよい。この場合、図７に示す押圧部５２ａがＦＰＣ１００の導体部に接触する。
【００４４】
また、この例では、前後方向における押圧部５２ａと接触部５３ａの位置は、抜止部材３０の係合部３３ａの位置より前方に位置している。すなわち、押圧部５２ａと接触部５３ａは、係合部３３ａを挟んで、前接続端子４０の押圧部４２ａと接触部４３ａとは反対側に位置している。このように、前後方向における押圧部５２ａと接触部５３ａの位置が、係合部３３ａの位置より前方に位置することによって、ＦＰＣ１００を上方に引き上げる力が作用した場合であっても、ＦＰＣ１００の切り欠き１００ａが上方にずれることが抑えられ、係合部３３ａによる引っ掛かりが維持され易くなっている。
【００４５】
以上説明したように、コネクタ１では、抜止部材３０の前下ビーム３３には、前上ビーム３２と前下ビーム３３との間に挿入されたＦＰＣ１００の切り欠き１００ａに引っ掛かる係合部３３ａが形成されている。また、前上ビーム３２は、前上ビーム３２が傾いたときに、前上ビーム３２と前下ビーム３３との間に挿入されたＦＰＣ１００を前下ビーム３３に押さえ付ける押圧部３２ａを有している。このようなコネクタ１によれば、ＦＰＣ１００を引っ張る強い力が作用した場合であっても、その力の多くは前下ビーム３３に作用し、基部３１を支点として動くことのできる前上ビーム３２に作用する力は抑えられる。その結果、ＦＰＣ１００に強い力が作用した場合でも、ＦＰＣ１００との引っ掛かりが維持され易くなり、コネクタの抜け止め機能を向上できる。また、コネクタ１によれば、アクチュエータ２０を後方に倒す前であっても、ＦＰＣ１００を前下ビーム３３の係合部３３ａに引っ掛けることができるので、ＦＰＣ１００の接続作業の作業性を向上できる。また、押圧部３２ａは切り欠き１００ａに嵌るのではなくＦＰＣ１００の表面に押さえ付けられている。そのため、動くビームの先端が切り欠きに嵌ることによってＦＰＣを抜け止めする従来のコネクタに比べて、動くビーム（ここでは前上ビーム３２）の可動範囲を小さくできる。特に、この例では、前上ビーム３２の可動範囲を、前接続端子４０の前上ビーム４２の可動範囲と、後接続端子５０の前上ビーム５２の可動範囲とに等しくできるので、コネクタの構造を簡単化できる。
【００４６】
なお、本発明は、以上説明したコネクタ１に限られず、種々の変更が可能である。例えば、以上の説明では、コネクタ１は、所謂バックロックタイプのコネクタであり、アクチュエータ２０のカム部２１は、前接続端子４０、後接続端子５０及び抜止部材３０の後側（すなわち被押圧ビーム３４，４４，５４）を押し上げていた。しかしながら、本発明は、前上ビーム３２，４２，５２の上に配置されたカム部によって、前上ビーム３２，４２，５２を押し下げる、所謂フロントロックタイプのコネクタに適用されてもよい。
【００４７】
また、以上の説明では、ＦＰＣ１００には、前下ビーム３３の係合部３３ａが引っ掛かる被係合部として、切り欠き１００ａが形成されていた。しかしながら、被係合部は、ＦＰＣ１００の縁に形成された孔や凹部でもよい。すなわち、ＦＰＣ１００を貫通する孔や、ＦＰＣ１００の下面に形成された凹部でもよい。この場合、係合部３３ａは孔や凹部に嵌る。また、被係合部はＦＰＣ１００の縁から左右方向に突出する凸部でもよい。この場合、凸部は支持面３３ｂ上に配置される。そして、凸部は押圧部３２ａによって支持面３３ｂに押さえ付けられ、凸部の縁は係合部３３ａに引っ掛かる。
【００４８】
また、以上の説明では、前後方向における押圧部３２ａの位置は、係合部３３ａより後であった。しかしながら、押圧部３２ａは係合部３３ａより前に位置してもよい。
【００４９】
また、以上の説明では、抜止部材３０は、被押圧ビーム３４に向き合う後下ビーム３５を有し、当該後下ビーム３５がカム部２１を支持していた。しかしながら、この後下ビーム３５は抜止部材３０に設けられていなくてもよい。この場合、カム部２１はハウジング１１の底板部１２によって支持されてもよい。
【００５０】
また、以上の説明では、前下ビーム３３の先端に、回路基板に固定される固定部３６が設けられていた。しかしながら、この固定部３６は後下ビーム３５の後端に設けられてもよい。
【符号の説明】
【００５１】
１  コネクタ、１１  ハウジング、１１ｂ  ストッパ、１１ｃ  ストッパ、１２  底板部、１３，１４，１５  溝、１６  横壁部、１７  上板部、２０  アクチュエータ、２１  カム部、２２  操作部、２３  凸部、２４ａ，２４ｂ，２４ｃ  孔、３０  抜止部材、３１  基部、３２  前上ビーム、３２ａ  押圧部、３２ｂ  前傾斜面、３２ｃ  頂部、３３  前下ビーム、３３ａ  係合部、３３ｂ  支持面、３３ｃ  前傾斜面、３３ｄ  後面、３３ｅ  頂部、３４  被押圧ビーム、３５  後下ビーム、３５ａ  爪部、３６  固定部、３６ａ  下縁、４０  前接続端子、４１  基部、４２  前上ビーム、４２ａ  押圧部、４３  前下ビーム、４３ａ  接触部、４４  被押圧ビーム、４５  後下ビーム、４５ａ  爪部、４６  接続部、４６ａ  下縁、５０  後接続端子、５１  基部、５１ａ  爪部、５２  前上ビーム、５２ａ  押圧部、５３  前下ビーム、５３ａ  接触部、５４  被押圧ビーム、５５  後下ビーム、５５ａ  ストッパ、５６  接続部、５６ａ  下縁、１００  ＦＰＣ（平型電線）、１００ａ  切り欠き（被係合部）。
【図１】
0005498733.tif 000002
【図２】
0005498733.tif 000003
【図３】
0005498733.tif 000004
【図４】
0005498733.tif 000005
【図５】
0005498733.tif 000006
【図６】
0005498733.tif 000007
【図７】
0005498733.tif 000008